【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】  選択的にアクセス可能でユーザが制御するポートフォリオフォルダを創るためにコンピュータ実行可能コードを含むコンピュータによって読み込み可能な媒体。
【請求項２】  ポートフォリオフォルダを創り出し、該ポートフォリオフォルダへのアクセスを提供するコンピュータ化されたネットワークに於いて、
コンピュータ実行可能コード用で、ポートフォリオフォルダを格納するメモリ手段を有し、該コンピュータ実行可能コードは、他人が前記ポートフォリオフォルダ内の情報へ選択的にアクセスすることを前記ユーザが制御する手段を有する第１のコンピュータと、
前記第１のコンピュータと電子的に通信する第２のコンピュータを具え、該第２のコンピュータは、ユーザがアクセスを許したポートフォリオホルダ内の情報へアクセスする、コンピュータ化されたネットワーク。
【請求項３】  コンピュータ化されたポートフォリオフォルダを創り、該ポートフォリオフォルダへのアクセスを提供する方法であって、
ユーザが前記コンピュータ化されたポートフォリオフォルダに関する情報をコンピュータ内に入力することを案内するコンピュータソフトウエアを有するコンピュータを提供する工程と、
前記情報をコンピュータ内に入力する工程と、
他のコンピュータが、前記ポートフォリオフォルダ内の情報への選択的な電子アクセスを有することを許す工程を具え、
選択的な電子アクセスはユーザによって制御される。
【請求項４】  評価方法であって、
評価方法を管理するコンピュータソフトウエアプログラムを提供する工程と、
少なくとも１つのコンピュータ化されたポートフォリオフォルダを提供する工程とを具え、
前記プログラム及び前記コンピュータ化されたポートフォリオは連結されて、プログラムが選択的にアクセスして、コンピュータ化されたポートフォリオフォルダからコンピュータプログラムに項目をダウンロードでき、それによってコンピュータプログラムは評価を管理できる評価方法。
【請求項５】  ユーザと１又は２以上の看者との間で電子通信ネットワークを介して個人情報を共有するコンピュータ実行方法であって、
a) 選択的にアクセス可能な電子ポートフォリオフォルダを創り出し、看るためのコンピュータ実行可能コードを有する電子格納媒体を提供する工程と、
b) ユーザ及び看者にアカウントを確立する工程と、
c) 前記電子通信ネットワークを介してユーザがコンピュータ実行可能コードへアクセスすることを許す工程と、
d) ユーザが１又は２以上のポートフォリオフォルダを創り、及び／又は編集し、ポートフォリオフォルダ内に内容を格納することを許す工程と、
e) どの看者が前記ポートフォリオフォルダにアクセスしてよいかを、ユーザが決定することを許す工程と、
f) １又は２以上の看者が、前記電子通信ネットワークを介してコンピュータ実行可能コードにアクセスすることを許す工程と、
g) １又は２以上の看者が、ユーザによって選択されたポートフォリオフォルダを看ることを許す工程とを具えたコンピュータ実行方法。
【請求項６】  ユーザが１又は２以上の電子ポートフォリオフォルダを創り及び／又は編集することを許す工程は、
a) 前記電子通信ネットワークを介して、ユーザアクセスを与え、１又は複数のコンピュータデータファイルを電子格納媒体に入力して、マスターポートフォリオを創る工程と、
b) コンピュータ実行可能コードが、識別手段を用いて、各データファイルにタグを付ける工程を含む、請求項５に記載のコンピュータ実行方法。
【請求項７】  ユーザが１又は２以上の電子ポートフォリオフォルダを創り及び／又は編集することを許す工程は、
a) コンピュータ実行可能コードが、前記マスターポートフォリオ内にある各タグ付けされたファイルのインデックスを創る工程と、
b) ユーザが前記マスタポートフォリオから個々のファイルを選択して、ポートフォリオフォルダに関連づけることを許す工程を含む、請求項６に記載のコンピュータ実行方法。
【請求項８】  ユーザが１又は２以上のポートフォリオフォルダを創り及び／又は編集することを許す工程は、更に選択されたタグ付きファイルを１又は２以上のポートフォリオフォルダに関連づけることにより、ユーザが更なるポートフォリオフォルダを創ることを許す工程を更に含む、請求項７に記載のコンピュータ実行方法。
【請求項９】  １又は２以上の看者が、ユーザによって選択されたポートフォリオフォルダを看ることを許す工程は、更に
a) １又は２以上の看者が前記電子通信媒体を介してポートフォリオフォルダにアクセスすることを許す工程と、
b) ポートフォリオフォルダ及び関係するファイルを前記看者に示す工程を含む、請求項７に記載のコンピュータ実行方法。
【請求項１０】  ユーザによって用いられ、電子通信ネットワークに繋がった第１のコンピュータと、
看者によって用いられ、電子通信ネットワークに繋がった第２のコンピュータと、
コンピュータが読み込み可能な媒体を具え、電子通信ネットワークに繋がったサーバ、とを具え、
前記第１のコンピュータは、電子通信ネットワークを介して、サーバに繋がり、
前記第２のコンピュータは、電子通信ネットワークを介して、サーバに繋がり、
コンピュータが読み込み可能な媒体に格納されたコンピュータ実行可能コードを具え、
サーバはコンピュータ実行可能コードに作用して、選択的にアクセス可能でユーザが制御するポートフォリオフォルダを創る通信システム。
【請求項１１】  サーバはコンピュータ実行可能コードを用いて、
a) 選択的にアクセス可能な電子ポートフォリオフォルダを創り、そして看るコンピュータ実行可能コードを具えた電子格納媒体を提供し、
b) ユーザ及び看者にアカウントを確立し、
c) 電子通信ネットワークを介して、ユーザがコンピュータ実行可能コードへアクセスすることを許し、
d) ユーザが１又は２以上のポートフォリオフォルダを創り、及び／又は編集し、ポートフォリオフォルダ内に内容を格納することを許し、
e) どの看者がポートフォリオフォルダにアクセスしてよいかを、ユーザが決定でき、
f) 電子通信ネットワークを介して、コンピュータ実行可能コードへ１又は２以上の看者のコンピュータ実行可能コードへアクセスすることを許し、
g) 前記１又は２以上の看者が、ユーザによって選択されたポートフォリオフォルダを見ることを許す請求項１０に記載の通信システム。
【請求項１２】  サーバはコンピュータ実行可能コードを用いて、
a) 電子通信ネットワークを介してユーザアクセスを付与し、１又は複数のデータファイルを電子格納媒体に入力して、マスタポートフォリオを創り、
b) コンピュータ実行可能コードが識別手段を用いて、各データファイルにタグを付ける請求項１１に記載の通信システム。
【請求項１３】  サーバによって生成され、コンピュータ実行可能コードを有するＨＴＭＬページであって、該ＨＴＭＬページはユーザからの応答を求める情報を提示し、該応答はコンピュータ実行可能コードに伝えられて、該コンピュータ実行可能コードは、
a) 選択的にアクセス可能な電子ポートフォリオフォルダを創り、及び看るた
めのコンピュータ実行可能コードを具えた電子格納媒体を提供する工程、
b) ユーザ及び看者にアカウントを確立する工程、
c) 電子通信ネットワークを介して、コンピュータ実行可能コードへのユーザアクセスを許す工程、
d) ユーザが１又は２以上のポートフォリオフォルダを創り、及び／又は編集し、ポートフォリオフォルダ内に内容を格納することを許す工程、
e) どの看者がポートフォリオフォルダにアクセスしてよいかを、ユーザが決定することを許す工程、
f) 電子通信ネットワークを介して、コンピュータ実行可能コードへ１又は２以上の看者がコンピュータ実行可能コードへアクセスすることを許す工程、
g) 前記１又は２以上の看者が、ユーザによって選択されたポートフォリオフォルダを見ることを許す工程を実行するＨＴＭＬページ。
【請求項１４】  ユーザが１又は２以上の電子ポートフォリオを創り、及び／又は編集することを許す工程は、
a) 前記電子通信ネットワークを介して、ユーザアクセスを与え、１又は複数のコンピュータデータファイルを電子格納媒体に入力して、マスターポートフォリオを創る工程と、
b) コンピュータ実行可能コードが識別手段を用いて、各データファイルにタグを付ける工程を含む、請求項１３に記載のＨＴＭＬページ。
【請求項１５】  ユーザが１又は２以上の電子ポートフォリオを創り、及び／又は編集することを許す工程は更に、
a) コンピュータ実行可能コードが、前記マスターポートフォリオ内に各タグ付けされたファイルのインデックスを創る工程と、
b) ユーザが前記マスタポートフォリオから個々のファイルを選択して、ポートフォリオフォルダに関連づけることを許す工程を含む、請求項１４に記載のＨＴＭＬページ。
【請求項１６】  ユーザと看者間の選択的な通信を許すシステムであって、
選択的にアクセス可能な電子ポートフォリオフォルダを創り、そして看るコンピュータ実行可能コードを有する電子格納媒体を提供する手段と、
ユーザ及び看者にアカウントを確立する手段と、
前記電子通信ネットワークを介してコンピュータ実行可能コードへのユーザアクセスを許す手段と、
ユーザが１又は２以上のポートフォリオフォルダを創り、及び／又は編集し、ポートフォリオフォルダ内に内容を格納することを許す手段と、
どの看者が前記ポートフォリオフォルダにアクセスしてよいかを、ユーザが決定することを許す手段と、
１又は２以上の看者が、前記電子通信ネットワークを介してコンピュータ実行可能コードにアクセスすることを許す手段と、
１又は２以上の看者が、ユーザによって選択されたポートフォリオフォルダを看ることを許す手段とを具えたシステム。
【請求項１７】  ユーザが１又は２以上のポートフォリオフォルダを創り、及び／又は編集することを許す手段は、
a) 前記電子通信ネットワークを介して、ユーザアクセスを与え、１又は複数のコンピュータデータファイルを電子格納媒体に入力して、マスターポートフォリオを創り、
b) コンピュータ実行可能コードが識別手段を用いて、各データファイルにタグを付ける手段を含む請求項１６に記載のシステム。
【請求項１８】  ユーザが１又は２以上のポートフォリオフォルダを創り、及び／又は編集することを許す手段は、
a) コンピュータ実行可能コードに、各タグ付けされたファイルのインデックスを前記マスターポートフォリオ内に創らせる手段と、
b) ユーザが前記マスタポートフォリオから個々のファイルを選択して、ポートフォリオフォルダに関連づけることを許す手段を含む請求項１７に記載のシステム。
【請求項１９】  コンピュータ実行可能コードは、ユーザ及び看者によって提供された情報を記録するように構成された１又は２以上の入力領域をユーザ又は看者に提示する請求項１６に記載のシステム。
【請求項２０】  ユーザと看者間の選択的な通信を許すシステムであって、
電子通信ネットワークを利用する手段と、
ユーザがポートフォリオフォルダへのアクセスを選択的に認可することを許すことを許す手段を具えたシステム。